(57)【特許請求の範囲】
【請求項１】
電柱の腕金に指示された碍子に取り付けられ、配電線に誘導された過電圧を腕金から大地に放電させるための放電クランプと、
前記碍子に取り付けられた導電性の強制閃絡リングと、
前記強制閃絡リング側に接続された線路側電極、及び、前記腕金側に接続された接地側電極を備え、放電クランプの動作時に前記両電極間の放電により表示動作を行わせて表示部を外部から視認可能とする放電クランプ動作表示器と、を備え、
前記放電クランプ動作表示器は、前記両電極間の放電によって火薬を爆発させ、その爆発力により飛散した前記表示部を不燃性部材を介して腕金から垂下させた状態で保持することにより、前記表示部を外部から視認可能としたことを特徴とする事故点表示装置。
【請求項２】
電柱の腕金に指示された碍子に取り付けられ、配電線に誘導された過電圧を腕金から大地に放電させるための放電クランプと、
前記碍子に取り付けられた導電性の強制閃絡リングと、
前記強制閃絡リング側に接続された線路側電極、及び、前記腕金側に接続された接地側電極を備え、放電クランプの動作時に前記両電極間の放電により表示動作を行わせて外部から視認可能とする放電クランプ動作表示器と、を備え、
前記放電クランプ動作表示器は、
着色液体が充填され、かつ一方の電極が内側に向けて配置された不透明材料からなる上半部ケースと、
吸水材料が充填され、かつ他方の電極が内側に向けて配置された透明材料からなる下半部ケースと、
上半部ケースと下半部ケースとを隔絶し、かつ、両電極間のギャップ内に一部が配置される隔膜と、
を備え、
前記両電極間の放電によって前記ギャップ付近の隔膜の一部を破断させ、前記着色液体を上半部ケースから流出させて下半部ケース内の吸水材料に浸透させることにより前記吸水材料を着色して外部から視認可能としたことを特徴とする事故点表示装置。
【請求項３】
電柱の腕金に指示された碍子に取り付けられ、配電線に誘導された過電圧を腕金から大地に放電させるための放電クランプと、
前記碍子に取り付けられた導電性の強制閃絡リングと、
前記強制閃絡リング側に接続された線路側電極、及び、前記腕金側に接続された接地側電極を備え、放電クランプの動作時に前記両電極間の放電により表示動作を行わせて表示部を外部から視認可能とする放電クランプ動作表示器と、を備え、
前記放電クランプ動作表示器は、
表示部が収納され、かつ不透明材料からなる上半部ケースと、
上半部ケースに連設されて共通の内部空間を形成すると共に、透明材料からなる下半部ケースと、
両電極間に張架されたヒューズ線と、
このヒューズ線に一体化されたストッパーと、
を備え、
前記両電極間の放電により前記ヒューズ線を溶断させて前記ストッパーを除去し、上半部ケース内の前記表示部を下半部ケース内に落下させて前記表示部を外部から視認可能としたことを特徴とする事故点表示装置。
【発明の詳細な説明】
【０００１】
【発明の属する技術分野】
本発明は、高圧配電線路への落雷等により放電クランプが動作したことを表示するための事故点表示装置に関するものである。
【０００２】
【従来の技術及び発明が解決しようとする課題】
従来から、高圧配電線には、襲雷時の逆フラッシオーバに起因する断線の防止や配電機材の保護を目的として、放電クランプが取り付けられている。
この放電クランプは、高圧碍子に取り付けられ、主に雷によって発生した過電圧を高圧腕金から大地に放電させ、過電圧を制限して高圧配電線の断線防止や配線機材の保護を図るものとして知られている。
【０００３】
電力会社の各営業所では、襲雷の都度、当日または翌日に巡視点検を実施して放電クランプの放電箇所を探査している。すなわち、巡視員は、配電線に沿って１電柱毎に放電クランプを巡視点検し、碍子の放電痕の有無を確認して事故点を探査すると共に、動作した放電クランプの交換作業等を実施している。
【０００４】
しかしながら、この巡視点検作業は、一般に高所での危険を伴う作業であり、また、極めて小さな経路を形成する放電痕（閃絡痕）を検出する必要があるため、巡視員にとっては非常に過酷で多大な労力と時間を必要とするものであった。
例えば、ある電力会社の管内では、襲雷による再送電成功事故時の被害箇所特定作業に必要な作業工数が、概ね５時間・人を上回る例も報告されている。
【０００５】
そこで、本発明は、巡視員の過酷かつ煩雑な作業を要することなく、放電クランプが動作した事故点を外部から簡単かつ確実に確認できるようにして事故点の特定作業を容易化した低コストの事故点表示装置を提供しようとするものである。
【０００６】
【課題を解決するための手段】
上記課題を解決するため、請求項１に記載した発明は、
電柱の腕金に指示された碍子に取り付けられ、配電線に誘導された過電圧を腕金から大地に放電させるための放電クランプと、
前記碍子に取り付けられた導電性の強制閃絡リングと、
前記強制閃絡リング側に接続された線路側電極、及び、前記腕金側に接続された接地側電極を備え、放電クランプの動作時に前記両電極間の放電により表示動作を行わせて表示部を外部から視認可能とする放電クランプ動作表示器と、を備え、
前記放電クランプ動作表示器は、前記両電極間の放電によって火薬を爆発させ、その爆発力により飛散した前記表示部を不燃性部材を介して腕金から垂下させた状態で保持することにより、前記表示部を外部から視認可能としたものである。
【０００７】
請求項２記載の発明は、
電柱の腕金に指示された碍子に取り付けられ、配電線に誘導された過電圧を腕金から大地に放電させるための放電クランプと、
前記碍子に取り付けられた導電性の強制閃絡リングと、
前記強制閃絡リング側に接続された線路側電極、及び、前記腕金側に接続された接地側電極を備え、放電クランプの動作時に前記両電極間の放電により表示動作を行わせて外部から視認可能とする放電クランプ動作表示器と、を備え、
前記放電クランプ動作表示器は、
着色液体が充填され、かつ一方の電極が内側に向けて配置された不透明材料からなる上半部ケースと、
吸水材料が充填され、かつ他方の電極が内側に向けて配置された透明材料からなる下半部ケースと、
上半部ケースと下半部ケースとを隔絶し、かつ、両電極間のギャップ内に一部が配置される隔膜と、
を備え、
前記両電極間の放電によって前記ギャップ付近の隔膜の一部を破断させ、前記着色液体を上半部ケースから流出させて下半部ケース内の吸水材料に浸透させることにより前記吸水材料を着色して外部から視認可能としたものである。
【０００８】
請求項３記載の発明は、
電柱の腕金に指示された碍子に取り付けられ、配電線に誘導された過電圧を腕金から大地に放電させるための放電クランプと、
前記碍子に取り付けられた導電性の強制閃絡リングと、
前記強制閃絡リング側に接続された線路側電極、及び、前記腕金側に接続された接地側電極を備え、放電クランプの動作時に前記両電極間の放電により表示動作を行わせて表示部を外部から視認可能とする放電クランプ動作表示器と、を備え、
前記放電クランプ動作表示器は、
表示部が収納され、かつ不透明材料からなる上半部ケースと、
上半部ケースに連設されて共通の内部空間を形成すると共に、透明材料からなる下半部ケースと、
両電極間に張架されたヒューズ線と、
このヒューズ線に一体化されたストッパーと、
を備え、
前記両電極間の放電により前記ヒューズ線を溶断させて前記ストッパーを除去し、上半部ケース内の前記表示部を下半部ケース内に落下させて前記表示部を外部から視認可能としたものである。
【００１０】
【発明の実施の形態】
以下、図に沿って本発明の実施形態を説明する。
図１はこの実施形態の取付状態を示す図であり、１４は電柱の上端部に設置された高圧腕金、１３はその端部に取り付けられた碍子、１１は碍子１３の上端部に取り付けられた放電クランプである。
碍子１３の基端部には、高圧腕金１４との間に若干の間隔をおいて導電性の強制閃絡リング１２が配置されている。
なお、２１は高圧配電線である。
【００１１】
強制閃絡リング１２の周辺部と高圧腕金１４との間には、放電クランプ動作表示器１０が取り付けられている。
この放電クランプ動作表示器１０は、強制閃絡リング１２に接続される線路側電極と、高圧腕金１４に接続される接地側電極とを備えており、落雷等により高圧配電線２１に過電圧が誘導されて放電クランプ１１が動作した際に、放電クランプ１１からの閃絡により強制閃絡リング１２から高圧腕金１４に流れる大地への放電電流を利用して、放電クランプ１１の動作表示を行うものである。
以下、放電クランプ動作表示器１０の構造を詳述する。
【００１２】
図２は、放電クランプ動作表示器１０の第１実施例である。
図２において、１２１は強制閃絡リング１２に接続される線路側電極、１２２は高圧腕金１４に接続される接地側電極であり、これらの両電極１２１，１２２は中空円筒状の火薬収納部１０３内においてギャップ１０２を隔てて対向配置されている。ここで、火薬収納部１０３には、電極１２１，１２２間の放電によって引火、爆発する火薬が収納されている。
また、１０１は帽体状の表示部であり、図示されていないワイヤ等の不燃性部材を介して、例えば高圧腕金１４に連繋されている。
【００１３】
この実施例の動作を説明すると、高圧配電線２１に過電圧が誘導されて放電クランプ１１が動作し、放電クランプ１１から強制閃絡リング１２を経て高圧腕金１４に至る経路で放電電流が流れると、前記電極１２１，１２２間の放電により火薬が爆発し、その爆発力（爆風）により図２の下段に示す如く表示部１０１が飛び出す。
その際、表示部１０１はワイヤ等によって腕金１４に連繋されているため、表示部１０１は腕金１４から垂下した状態で保持されることになる。
【００１４】
この表示部１０１の挙動により、放電クランプ１１が動作したことを外部から容易に視認でき、必要に応じて表示部１０１を着色等しておけば、動作表示を一層確実に行うことができる。
なお、表示部１０１や火薬収納部１０３の形状、構造、更には爆発時の表示部１０１の保持手段は上述したものに何ら限定されず、要は、放電クランプ１１の動作時における強制閃絡リング１２，高圧腕金１４間の放電による爆発エネルギーを利用して直接的に動作表示し、しかもその表示状態を維持できる手段であれば良い。
【００１５】
次に、放電クランプ動作表示器１０の第２実施例を図３を参照しつつ説明する。
図３において、１０５は不透明な樹脂からなる上半部ケース、１０９は透明な樹脂からなる下半部ケースであり、両ケース１０５，１０９の内部空間は隔膜１０７によって隔絶されている。
【００１６】
また、上半部ケース１０５には強制閃絡リング１２に接続された線路側電極１０４が内部に向けて取り付けられ、下半部ケース１０９には高圧腕金１４に接続された接地側電極１１０が内部に向けて取り付けられている。
これらの両電極１０４，１１０は、ギャップ内の隔膜１０７を介して同軸上に対向配置されている。隔膜１０７は、ポリエステルフィルム、セロハン、ビニール等からなるものであり、浸透膜以外のものであって両電極１０４，１１０間に放電電流が流れた時の熱で破断する材質であればよい。
【００１７】
上半部ケース１０５の内部空間には、着色液体１０６が充填されている。この着色液体の材質は特に限定されないが、カーボン等の導電性材料を含まないことが必要である。また、その色は外部から確認しやすい色とすることは言うまでもない。
【００１８】
一方、下半部ケース１０９の内部空間には、綿などの吸水材料が充填されている。この吸水材料は、吸水性に優れて入手し易ければその材質は問わず、白色布、化学繊維等でも良い。
【００１９】
この実施例の動作を説明すると、放電クランプ１１の動作時に前記電極１０４，１１０間の放電によりギャップ付近の隔膜１０７が破断して上半部ケース１０５内の着色液体１０６が下半部ケース１０９内に流出する。
これにより、図３の下段に示す如く下半部ケース１０９内の吸水材料１０８に着色液体１０６が浸透するので、透明な下半部ケース１０９を介して、外部から放電クランプ１１が動作したことを視認可能となる。
【００２０】
次いで、放電クランプ動作表示器１０の第３実施例を図４を参照しつつ説明する。
図４において、前記同様に、１０５は不透明な樹脂からなる上半部ケース、１０９は透明な樹脂からなる下半部ケースであり、これらのケース１０５，１０９は開口部が連設されて共通の内部空間を形成している。
【００２１】
両ケース１０５，１０９には線路側電極１１１，接地側電極１１５がそれぞれ内側に向けて同軸上に取り付けられていると共に、両電極１１１，１１５間には、放電電流により溶融するヒューズ線１１４が張架され、このヒューズ線１１４にはストッパー１１３が一体的に取り付けられている。
１１２は、平常時は上記ストッパー１１３上に載置されて上半部ケース１０５の内部に保持されている表示部であり、適宜な着色が施されている。
【００２２】
この実施形態の動作を説明する。放電クランプ１１の動作時に前記電極１１１，１１５間の放電によってヒューズ線１１４が溶断すると、ストッパー１１３が除去され、表示部１１２が自重により落下する。
このため、平常時は上半部ケース１０５により遮蔽されていた表示部１１２が、透明な下半部ケース１０９を介して外部から視認可能となり、放電クランプ１１が動作したのを確認することができるようになる。
【００２３】
図５は、本実施形態の装柱状態を示す斜視図であり、配電設備の各機器を集約的に配置した架空配電線路モデルを示している。図５において、３１は電柱である。なお、その他の部材は本発明と直接関係しないため、ここでは説明を省略する。
前述したように、各実施例の放電クランプ動作表示器１０は、強制閃絡リング１２と高圧腕金１４との間に配置されるが、便宜上、図５では図示を省略してある。
【００２４】
【発明の効果】
以上のように本発明によれば、放電クランプが動作したことを放電クランプ動作表示器により明確に表示できるため、巡視員は、例えば地上からの目視により、または遠方から双眼鏡等により放電クランプの動作を確認して事故点を特定することができる。
【００２５】
このため、従来の巡視点検時のように、柱上において危険かつ注意力を要する確認作業を行う必要がなくなり、過酷で煩雑な作業を解消すると共に作業工数や作業時間の低減が可能になる。
また、放電クランプ動作表示器の動作原理や構造は比較的簡単なものであるから、低コストにて提供することができる。
【図面の簡単な説明】
【図１】本発明の一実施形態を示す図である。
【図２】放電クランプ動作表示器の第１実施例の説明図である。
【図３】放電クランプ動作表示器の第２実施例の説明図である。
【図４】放電クランプ動作表示器の第３実施例の説明図である。
【図５】本実施形態の装柱状態を示す斜視図である。
【符号の説明】
１０  放電クランプ動作表示器
１１  放電クランプ
１２  強制閃絡リング
１３  碍子
１４  高圧腕金
２１  高圧配電線
３１  電柱
３２  柱上変圧器
１０１，１１２  表示部
１０２  ギャップ
１０３  火薬収納部
１０４，１１１，１２１  線路側電極
１０５  上半部ケース
１０６  着色液体
１０７  隔膜
１０８  吸水材料
１０９  下半部ケース
１１０，１１５，１２２  接地側電極
１１３  ストッパー
１１４  ヒューズ線
【図１】
0003785570.tif 000002
【図２】
0003785570.tif 000003
【図３】
0003785570.tif 000004
【図４】
0003785570.tif 000005
【図５】
0003785570.tif 000006